(57)【要約】【課題】ＵＳＢインターフェースなどを含む、少なくとも３つのインターフェースが有効に活用される記録再生装置を提供する。【解決手段】マウント部１０ｂにあるシリアルＩ／Ｆ、ＵＳＢＩ／Ｆ、メモリカードＩ／Ｆの３つのインターフェースの送受信を内部のメインＣＰＵにより切り替えて画像信号の流れを制御する。撮像ユニット１ａが装着されたときにはシリアルＩ／Ｆを受信側に制御してメモリカードＩ／Ｆを送信側に制御する。データ保存ユニット２ａや表示ユニット３ａや投影ユニット４ａなどが装着されメモリカードが装填され、さらにＰＣ５ａやビューワ５ａがＵＳＢケーブルによって接続されたときにインターフェースそれぞれの送受を適宜切り替える。【選択図】  図１
2006094300.tif 000002
【特許請求の範囲】
【請求項１】
撮影光学系と撮像素子とを備えた撮像ユニットが着脱自在に装着されるマウント部を備え、該マウント部に装着された撮像ユニットから画像信号を受け取って信号処理を行なう記録再生装置において、
前記マウント部は、前記撮像ユニットを含む複数種類の機能ユニットが交換自在に装着されるものであって、
前記マウント部に装着された機能ユニットとの間で画像信号を送受信する第１のインターフェースと、
外部情報機器との間で画像信号を送受信する第２のインターフェースと、
記録媒体が着脱自在に装着され装着された記録媒体との間で画像信号を送受信する第３のインターフェースと、
前記マウント部に装着された機能ユニットの種別を検出する検出手段と、
前記検出手段による検出結果に応じて、前記第１、第２および第３のインターフェースを制御する通信制御手段とを備えたことを特徴とする記録再生装置。
【請求項２】
前記通信制御手段は、前記検出手段が前記マウント部に撮像ユニットが装着されたことを検出した場合には、前記第１のインターフェースを画像信号の受信側に制御するとともに、前記第３のインターフェースを該第１のインターフェースを介して受信した画像信号を送信する送信側に制御するものであることを特徴とする請求項１記載の記録再生装置。
【請求項３】
前記複数種類の機能ユニットのうちの１つが、ハードディスク記憶装置を備えたデータ保存装置であって、
画像信号を受信するインターフェースと画像信号を送信するインターフェースを指定する入出力指定操作手段と、
画像信号の信号形式を変換する信号変換手段とを備え、
前記通信制御手段は、前記マウント部が、前記データ保存装置が装着されたことを検出した場合には、前記入出力指定操作手段による指定に応じて前記第１、第２および第３のインターフェースを制御するとともに、前記信号変換手段を、受信側に制御されたインターフェースを介して受信した画像信号を送信側のインターフェースに応じた信号形式に変換するように制御するものであることを特徴とする請求項１記載の記録再生装置。
【請求項４】
前記入出力指定操作手段は、前記第１のインターフェースを画像信号の受信側、前記第２および第３のインターフェースの双方を画像信号の送信側に指定する指定モードを含み、
前記指定モードが指定されたときは、
前記通信制御部は、前記信号変換手段に、前記第１のインターフェースを介して受信した画像信号を前記第２および第３のインターフェースそれぞれに応じた２つの信号形式への変換を行わさせるものであることを特徴とする請求項３記載の記録再生装置。
【請求項５】
前記複数種類の機能ユニットのうちの１つが、画像を表示する画像表示ユニットであって、
前記通信制御手段は、前記検出手段による前記画像表示ユニットの装着の検知を受けて、前記第３のインターフェースを画像信号の受信側、前記第１のインターフェースを画像信号の送信側に制御するものであることを特徴とする請求項１記載の記録再生装置。
【請求項６】
画像信号の信号形式を変換する信号変換手段を備え、
前記通信制御手段は、前記検出手段による前記画像表示ユニットの装着を受けて、前記信号変換手段を、前記第３のインターフェースを介して受信した画像信号を前記第１のインターフェースに応じた信号形式に変換するように制御するものであることを特徴とする請求項５記載の記録再生装置。
【請求項７】
前記画像表示ユニットは、画像表示パネルを備え、該画像表示パネル上に画像を表示するものであることを特徴とする請求項５記載の記録再生装置。
【請求項８】
前記画像表示ユニットは、画像を投影する画像投影手段を備え、画像を投影することによって被投影体上に画像を表示するものであることを特徴とする請求項５記載の記録再生装置。
【請求項９】
前記第１のインターフェースは、シリアルインターフェースであって、
該シリアルインターフェースを介して送受信される画像信号と、パラレル信号で表される画像信号とを変換する変換手段を備えたことを特徴とする請求項１記載の記録再生装置。
【発明の詳細な説明】
【技術分野】
【０００１】
本発明は、撮影光学系と撮像素子を備えた撮像ユニットが着脱自在に装着されるマウント部を備え、そのマウント部に装着された撮像ユニットから画像信号を受け取って信号処理を行なう記録再生装置に関する。
【背景技術】
【０００２】
撮像素子と撮影光学系が一体的になったプラグインユニットがカメラ本体に装着されると、そのプラグインユニットの情報がカメラ本体側に伝達されて、そのプラグインユニットが備える撮影光学系で撮影を行なうことができるようになるカメラシステムが提案されている（特許文献１参照）。このようにプラグインユニットがカメラ本体に装着されるだけで撮影光学系つまり撮影レンズの交換が行なわれるカメラシステムが実現されると、カメラシステムの取り扱いが非常に簡単になり、専門的な知識を持たない人にでも簡単に撮影レンズの交換を行なわせることができる。
【０００３】
同様なものに、撮影光学系と撮像素子を備えた撮像ユニットと、撮像ユニットが着脱自在に装着され撮像ユニットから画像信号を受け取って信号処理を行なうカメラ本体とを備えたカメラシステムがある（例えば特許文献２参照）。
【０００４】
またこのカメラシステムを構成するカメラ本体は、カメラ本体単体で記録再生装置としても活用されている（例えば特許文献３参照）。この特許文献３のものでは、カメラ本体を記録再生装置として捉えて、撮像ユニットの未装時には、その撮像ユニットが装着される装着部を音声信号及び画像信号の出力インターフェースに切り替えてそのインターフェースを介して外部機器に音声信号及び画像信号を供給することができるようにし、また撮像ユニットの装着時には撮像ユニットが装着された装着部を音声信号及び画像信号の入力インターフェースに切り替えてそのインターフェースを介して撮像ユニットからの音声信号及び画像信号を受信してその音声信号と画像信号を記録媒体に記録したり、画像信号に基づく画像を表示画面上に表示したり、音声信号に基づく音声をスピーカから出力したりする技術が提案されている。この技術によれば、マウント部に配備された、画像信号や音声信号が入力されたり画像信号や音声信号を出力したりするインターフェースと、記録媒体が着脱自在に装着され装着された記録媒体との間で画像信号を送受信するインターフェースと、表示画面上に画像信号に基づく画像を表示するための画像表示用インターフェースなど多数のインターフェースが活用される記録再生装置が実現される。
【０００５】
ところで、この記録再生装置としても活用されるカメラ本体には、上記インターフェースのほか、外部情報機器との間で画像信号の送受信を行なうＵＳＢインターフェースも配備されているものが多く、今後そのＵＳＢインターフェースの代わりに、またはＵＳＢインターフェースに加えて、Ｂｌｕｅｔｏｏｔｈや無線ＬＡＮ、ＩＥＥＥ１３９４といったマルチメディア対応のインターフェースなどが配備される可能性もある。
【特許文献１】特開平８−１７２５６１号公報
【特許文献２】特開２０００−１７５０８９号公報
【特許文献３】特開平９−３２２０３３９号公報
【発明の開示】
【発明が解決しようとする課題】
【０００６】
本発明は、上記事情に鑑み、ＵＳＢインターフェースなどを含む、少なくとも３つのインターフェースが有効に活用される記録再生装置を提供することを目的とする。
【課題を解決するための手段】
【０００７】
上記目的を達成する本発明の記録再生装置は、撮影光学系と撮像素子を備えた撮像ユニットが着脱自在に装着されるマウント部を備え、そのマウント部に装着された撮像ユニットから画像信号を受け取って信号処理を行なう記録再生装置において、
上記マウント部は、上記撮像ユニットを含む複数種類の機能ユニットが交換自在に装着されるものであって、
上記マウント部に装着された機能ユニットとの間で画像信号を送受信する第１のインターフェースと、
外部情報機器との間で画像信号を送受信する第２のインターフェースと、
記録媒体が着脱自在に装着され装着された記録媒体との間で画像信号を送受信する第３のインターフェースと、
上記マウント部に装着された機能ユニットの種別を検出する検出手段と、
上記検出手段による検出結果に応じて、上記第１、第２および第３のインターフェースを制御する通信制御手段とを備えたことを特徴とする。
【０００８】
上記本発明の記録再生装置によれば、上記検出手段による上記マウント部に装着された機能ユニットの種別が検出され、その検出結果に応じて上記通信制御手段によって上記第１、第２および第３のインターフェースが制御される。
【０００９】
そうすると、上記マウント部に装着された機能ユニットの種別に応じて上記通信制御手段により上記第１、第２および第３のインターフェースの送受信が適宜切り替えられて画像信号が送信元から送信先へ正しく送信されるようになる。
【００１０】
例えば、上記外部情報機器との間で画像信号を送受信する上記第２のインターフェースがＵＳＢインターフェースであったとすると、特許文献３のものに加えて、ＵＳＢインターフェースでの送受信がさらに上記通信制御手段により制御される記録再生装置が実現される。
【００１１】
上記第２のインターフェースは、ＵＳＢインターフェースに限らず、前述のＢｌｕｅｔｏｏｔｈやＩＥＥＥ１３９４といったマルチメディア対応のものであっても良い。
【００１２】
このようにＵＳＢインターフェースを含む、少なくとも上記３つのインターフェースが有効に活用される記録再生装置が実現される。
【００１３】
ここで、上記通信制御手段は、上記マウント部に撮像ユニットが装着されたことを検出した場合には、上記第１のインターフェースを画像信号の受信側に制御するとともに、上記第３のインターフェースをその第１のインターフェースを介して受信した画像信号を送信する送信側に制御するものであることが好ましい。
【００１４】
このように撮像ユニットがこの記録再生装置に装着された場合には、上記第１のインターフェースで撮像ユニットからの画像信号が受信され、その受信された画像信号が上記第３のインターフェースにより上記記録媒体へ送信されその記録媒体に画像信号が記録される。
【００１５】
また、上記複数種類の機能ユニットのうちの１つが、ハードディスク記憶装置を備えたデータ保存装置であって、
画像信号を受信するインターフェースと画像信号を送信するインターフェースを指定する入出力指定操作手段と、画像信号の信号形式を変換する信号変換手段とを備え、
上記通信制御手段は、
上記マウント部が、上記データ保存装置が装着されたことを検出した場合には、上記入出力指定操作手段による指定に応じて上記第１、第２および第３のインターフェースを制御するとともに、上記信号変換手段を、受信側に制御されたインターフェースを介して受信した画像信号を送信側のインターフェースに応じた信号形式に変換するように制御するものであることが好ましい。
【００１６】
このようにデータ保存装置が、この記録再生装置に装着された場合には、上記第１のインターフェースが上記通信制御手段によって送信側に制御され、それ以外のインターフェースで受信された画像信号がその第１のインターフェースで送信される。この場合には、受信側に制御された、第１のインターフェース以外のインターフェースで受信した画像信号を、送信側に制御したインターフェースの信号形式に変換することができるように、上記信号変換部に送信側のインターフェースに応じた信号形式への変換を行わせてから画像信号を上記第１のインターフェースを介して送信するようにしている。
【００１７】
また、上記入出力指定操作手段は、上記第１のインターフェースを画像信号の受信側、上記第２および第３のインターフェースの双方を画像信号の送信側に指定する指定モードを含み、
上記指定モードが指定されたときは、
上記通信制御部は、上記信号変換手段に、上記第１のインターフェースを介して受信した画像信号を上記第２および第３のインターフェースそれぞれに応じた２つの信号形式への変換を行わさせるものであることが好ましい。
【００１８】
このようにしておくと、第１のインターフェースを介して受信した画像信号を、上記第２のインターフェースにより外部情報機器へ送信してその外部情報機器内のメモリに画像信号を保存することも、上記第３のインターフェースにより記録媒体へ送信して記録媒体に保存することもできる。
【００１９】
また、上記複数種類の機能ユニットのうちの１つが、画像を表示する画像表示ユニットであって、
上記通信制御手段は、
上記マウント部が、上記検出手段による画像表示ユニットの装着の検知を受けて、上記第３のインターフェースを画像信号の受信側、上記第１のインターフェースを画像信号の送信側に制御するものであることが好ましい。
【００２０】
そうすると、記録媒体上に記録されている画像信号が第３のインターフェースにより受信され上記第１のインターフェースにより画像表示ユニットへ送信され、画像表示ユニットの表示画面上にその画像信号に基づく画像が表示される。
【００２１】
このときには、画像信号の信号形式を変換する信号変換手段を備え、
上記通信制御手段は、上記検出手段による上記画像表示ユニットの装着を受けて上記信号変換手段を、上記第３のインターフェースを介して受信した画像信号を上記第１のインターフェースに応じた信号形式に変換するように制御するものであることが好ましく、上記画像ユニットは、画像表示パネルを備え、その画像表示パネル上に画像を表示するものであることが望ましい。
【００２２】
上記画像表示ユニットは、画像を投影する画像投影手段を備え、
画像を投影することによって被投影体上に画像を表示するものであっても良い。
【００２３】
また、上記第１のインターフェースは、電気信号または光を用いたシリアルインターフェースであって、
そのシリアルインターフェースを介して送受信されている画像信号と、パラレル信号で表される画像信号とを変換する変換手段を備えたものであることが好ましい。
【００２４】
近年、ローノイズであってしかも高速転送が行えるシリアルインターフェースが提案され、このシリアルインターフェースを用いることによって誤りの少ない高品質な画像転送が行なえる。そこで、この記録再生装置にそのシリアルインターフェースを配備することもあるので、その場合にはそのシリアルインターフェースを介して送受信されている画像信号と、パラレル信号で表される画像信号とを変換する上記変換手段を記録再生装置内に設けておくと良い。
【発明の効果】
【００２５】
以上、説明したように、ＵＳＢインターフェースなどを含む、少なくとも３つのインターフェースが有効に活用される記録再生装置が実現される。
【発明を実施するための最良の形態】
【００２６】
以下、本発明の実施の形態について説明する。
【００２７】
図１は、本発明の一実施形態である記録再生装置１の外観を示す図である。
【００２８】
図１（ａ）には、記録再生装置１の正面側を斜め上方から見た図が示されており、また図１（ｂ）には、記録再生装置１の背面側を斜め上方から見た図が示されている。
【００２９】
図１（ａ），（ｂ）に示す記録再生装置１のボディ１ｂの正面中央にはマウント部１０ｂが設けられており、そのマウント部１０ｂに撮像ユニット１ａを含む複数種類の機能ユニット（図１には例としてデータ保存ユニット２ａ、画像表示ユニット３ａ、投影ユニット４ａが示されている）のいずれかが装着される。
【００３０】
この記録再生装置１のマウント部１０ｂにはマウント部１０ｂに装着された機能ユニット（１ａ  ｏｒ  ２ａ  ｏｒ  ３ａ  ｏｒ  ４ａ）と記録再生装置１との間の画像信号の送受信を可能とする、本発明にいう第１のインターフェース（不図示）が配備されている。また、ボディ１ｂの側面には内部に配設されているメモリカード装填室への挿入口１６ｂが設けられており（図１参照）、その挿入口１６ｂからメモリカード３０がメモリカード装填室に装填されると、メモリカード３０に記録されている画像信号に基づく画像が表示画面１５０ｂ上に再生表示されたり、撮影操作により得た画像信号がそのメモリカード３０に記録されたりする。このメモリカード装填室には、本発明にいう第３のインターフェースであるメモリカードＩ／Ｆが配備されている。
【００３１】
また、表示パネル１５０ｂの横にはその表示パネル１５０ｂ上に表示メニューを表示するためのメニュー釦１５１ｂやその表示パネル１５０ｂ上に表示されている項目の中のいずれかを選択するための十字キー１５２ｂや選択項目を決定するためのＯＫ釦１５３ｂやその決定をキャンセルするためのキャンセル釦１５４ｂが配備されている。また画像信号のバックアップを取っておくときに操作されるバックアップボタン１５５ｂや画像信号を保存ユニットなどに保存するときに操作される保存釦１５６ｂ、さらに外部情報機器例えばＰＣなどからダウンロードを行うときのダウンロード釦１５７ｂなども配備されている。
【００３２】
また、側面にはこの記録再生装置の内部に配備されているＵＳＢＩ／Ｆ（本発明にいう第２のインターフェース）に繋がるＵＳＢコネクタ１７ｂが設けられており、そのＵＳＢコネクタにＵＳＢケーブルの一端側のコネクタを接続して他端側をパーソナルコンピュータ５ａが有するＵＳＢコネクタに接続するとＰＣとの間の相互接続も行える。
【００３３】
このような記録再生装置１に、例えば撮影光学系と撮像素子を備えた、機能ユニットの一つである撮像ユニット１ａが着脱自在に装着され、メモリ装填室にメモリカードが装填されると、撮像ユニットと記録再生装置１とでカメラシステムが構成される。そのカメラシステムで撮影が行なわれると、撮像ユニット１ａから記録再生装置１に上記第１のインターフェースを介して送信されてきた画像信号に記録再生装置１で信号処理が施されメモリカード１ａに記録される。
【００３４】
また、この記録再生装置１のメモリ装填室にメモリカード３０が装填された状態にあるときに、撮像ユニット１ａの代わりに機能ユニットの一つである保存ユニット２ａが装着されると、バックアップメモリシステムが構成される。このバックアップメモリシステムが構成されると、メモリカード内にある画像信号をデータ保存ユニットへ送信することによりメモリカード３０に記録されている画像信号が消滅しないように画像信号のバックアップを取っておくことができるようになる。
【００３５】
また、データ保存ユニット２ａがマウント部に装着された状態にあるときにＵＳＢケーブルにより外部情報機器としてパーソナルコンピュータ（以下ＰＣという）５ａが接続されると、ＰＣ５ａからの画像信号を受信して受信した画像信号をデータ保存装置に保存するダウンロードシステムやこの記録再生装置が持つ画像信号をＰＣへ送信してＰＣ内に保存するアップロードシステムが構成される。またＵＳＢケーブルによりビューワ６ａが接続されたときにはビューワ６ａに画像を表示するときの画像の基になる画像信号を持つ画像表示用ソースにもなる。
【００３６】
また、この記録再生装置１の媒体装填室にメモリカード３０が装填された状態にあるときにマウント部１０に表示ユニット３ａが装着されると、外部表示システムが構成される。このときにはメモリカード内の画像信号が表示ユニット５ａに転送されて表示ユニット３ａの表示パネル３０ａ上に画像信号に基づく画像が表示される。また投影ユニット４ａが装着されても、画像表示ユニットと同様のことが行えて、表示画面の代わりに被投影体に投影画像が表示される。
【００３７】
このようにマウント部１０に装着された機能ユニットの種別に応じて、さらにメモリカードの装填やＰＣの接続を受けて記録再生装置１内の複数、ここでは第１、第２、第３の３つのインターフェースの送受信が適宜切り替えられて画像信号の流れが制御される。
【００３８】
図２〜図６は、本発明にいう通信制御手段であるメインＣＰＵにより制御される画像信号の流れを説明する図である。なお、この記録再生装置１は、バッテリで動作するので図２〜図６には、電源としてバッテリＢｔが図示されている。
【００３９】
まず、図２を参照して記録再生装置１内の構成を説明しておく。
【００４０】
図２には撮像ユニット１ａが記録再生装置１のマウント部１０ｂに装着されるとしたときの画像信号の流れが示されている。撮像ユニット１ａの撮像素子１１ａで生成された画像信号がアナログ処理部１２ａ、信号処理部１３ａを経て第１のインターフェースであるシリアルＩ／Ｆ１４ａを介して記録再生装置１に送信されてきたときの画像信号の流れが矢印により示されている。
【００４１】
この例では、記録再生装置１にも、撮像ユニット１ａを含む機能ユニットが装着されたときに画像信号を送信したり、受信したりするための第１のインターフェースであるシリアルＩ／Ｆ１３が配備されており、このシリアルＩ／Ｆ１３の送受の切替などを含む全動作がメインＣＰＵ１０により統括的に制御されている。マウント部１０ｂの接続検出手段１２からの検出信号により図２に示すように撮像ユニット１ａが装着されたことをメインＣＰＵ１０が検出した場合には、第１のインターフェースであるシリアルＩ／Ｆ１３が画像信号の受信側に制御されるとともに、第３のインターフェースであるメモリカードＩ／Ｆ１６が第１のインターフェース１３を介して受信した画像信号を送信する送信側に制御され画像信号の記録がメモリカード３０に対して行なわれる。
【００４２】
このときにはメインＣＰＵ１０がデータ変換部１４に圧縮処理を行なわせた後、メモリカード用Ｉ／Ｆ１６にメモリカード３０への画像信号の送信を行わせている。
【００４３】
このように通信制御手段であるメインＣＰＵ１０によって第１のインターフェースであるシリアルＩ／Ｆ１３、第３のインターフェースであるメモリカードＩ／Ｆ１６の送受の切替制御が行われる。
【００４４】
また、図３にはデータ保存装置２ａが記録再生装置１に装着されたときの画像信号の流れの一例が示されている。
【００４５】
図３には、図１に示すメニュー釦の操作により選択メニューが表示されその選択メニューの中の「メモリカード→データ保存ユニット」という選択項目が十字キーにより指定されさらにバックアップボタン１５５ｂが操作されたことをメインＣＰＵが受けてメモリカード３０からデータ保存装置２ａ内のハードディスク２０ａへ画像信号が送信されていることが矢印により示されている。
【００４６】
このときには通信制御手段であるメインＣＰＵ１０によって第１のインターフェースであるシリアルＩ／Ｆ１３が受信側に制御され第３のインターフェースであるメモリカードＩ／Ｆ１６が送信側に制御される。ここでは第３のインターフェースであるメモリカードＩ／Ｆで受信した画像信号が圧縮された画像信号であるので、その画像信号のデータ形式が伸張によりデータ変換部１４で変換された後、さらにシリアルＩ／Ｆ１３のデータ形式にあうように変換されてから画像信号保存装置２ａに送信されるようになっている。
【００４７】
図４にはＵＳＢケーブルにより外部情報機器であるＰＣ５ａもしくはビューワ６ａが接続され、記録再生装置１のマウント部１０ｂにデータ保存装置２ａが装着された場合の画像信号の流れが示されている。
【００４８】
図４には、図１に示すメニュー釦１５１ｂの操作により表示画面１５０ｂに表示された選択メニューの中の「外部装置→保存ユニット」という選択項目が十字キー１５２ｂ及びＯＫ釦１５３ｂにより指定されさらにバックアップボタン１５５ｂが操作されたことをメインＣＰＵが受けてＰＣ５ａからデータ保存装置２ａ内のハードディスク２０ａへ画像信号がダウンロードされているときの画像信号の流れが矢印により示されている。また本実施形態の記録再生装置では、選択項目の中に「保存ユニット→外部装置」の選択項目もあって保存ユニットからそのＰＣ５ａへのアップロードも行うことができるので、ここでは双方の方向を向く矢印が示されている。
【００４９】
また、図５には画像表示ユニット３ａが記録再生装置１に装着されたときの画像信号の流れが示されている。
【００５０】
図５には、画像表示ユニット３ａが装着されメモリカード３０が装着された状態にあるときにＯＫ釦１５３ａ（図１参照）が操作されたことをメインＣＰＵ１０が受けてメモリカード３０から画像表示ユニット３ａへ画像信号が送信されていることが矢印により示されている。
【００５１】
このときには通信制御手段であるメインＣＰＵ１０によって第１のインターフェースであるシリアルＩ／Ｆ１３が送信側に制御され第３のインターフェースであるメモリカードＩ／Ｆ１６が受信側に制御される。このときには第３のインターフェースであるメモリカードＩ／Ｆ１６を介して受信した画像信号が送信側のインターフェースに応じたデータ形式に変換されるようにデータ変換部１４も制御される。ここでは第３のインターフェースであるメモリカードＩ／Ｆ１６で受信した画像信号が圧縮された画像信号であるので、その画像信号のデータ形式が伸張により変換された後、さらにシリアルＩ／Ｆ１３のデータ形式にあうように変換されてから画像表示ユニット３ａに送信されるようになっている。
図６に示す投影ユニットのときも同様であるが、投影ユニットの場合には被投影体に画像が投影表示される。
【００５２】
図７はメインＣＰＵが行う処理の手順を示すフローチャートである。
【００５３】
電源が投入されると、このフローの処理が開始される。
【００５４】
ステップＳ７００１で機能ユニットが装着されたかどうかを接続検出手段１２の検出状態に応じて判定する。次のステップＳ７００２へ進んで接続検出手段１２からの検出信号に応じて装着されたユニットの種別を判定する。このステップＳ７００２で撮像ユニット１ａであると判定したらステップＳ７００３へ進んでステップＳ７００３でメモリカード３０が装着されているかどうかを判定する。メモリカード３０が装着されていると判定したら次のステップＳ７００４へ進み撮影スタンバイ表示を行なう。そして次のステップＳ７００５でレリーズ釦１３ｂの操作の有無を判定してレリーズ釦１３ｂがオン状態になっていると判定したらＹ側に進みメモリカード３０へ画像信号を記録してこのフローの処理を終了する。
【００５５】
ステップＳ７００３でメモリカードが装着されていないと判定したら、Ｎ側に進み、ステップＳ７０２１で外部Ｉ／ＦつまりＵＳＢケーブルを介して外部情報機器であるＰＣなどが接続されているかどうかを判定する。ここでＵＳＢケーブルを介してＰＣなどが接続されていないと判定したら表示画面上に自己再生スタンバイ表示を行う。
【００５６】
このステップＳ７０３０でＵＳＢケーブルを介してＰＣが接続されていると判定したら、ＰＣはハードディスクなどのメモリを有しているのでデータの保存が行えるものであると判定してステップＳ７０３１へ進んで保存スタンバイ表示を行う。そして保存釦１５６ｂが押されたと判定したら、第３のインターフェースであるＵＳＢインターフェースを介してＰＣへ画像信号を送信して画像信号を保存する。
【００５７】
なお、撮像ユニットが装着されている状態にあるときには、ステップＳ７０３０でダウンロード側には進まないようになっている。
【００５８】
また、ステップＳ７００２で保存ユニット２ａであると判定したら、ステップＳ７００７へ進み、メモリカード３０が装着されているかどうかを判定する。ここでメモリカードが装着されていると判定したら、ＵＳＢケーブルを介して外部情報機器が接続されているかどうかを判定する。このステップＳ７００８で外部情報機器が接続されていると判定したら、ステップＳ７００９で相手先機能を確認する。この相手先機能は、例えばＰＣであれば、ハードディスクを有しているので、データ保存機能があるとして次のステップＳ７０１０へ進む。
【００５９】
次のステップＳ７０１０へ進んで、「（１）カード→保存ユニットへ保存、（２）保存ユニット→外部機器へ保存、（３）外部送致→保存ユニットへのダウンロード」の選択メニューの表示を行う。次のステップＳ７０１１で十字キーにより（１）が選択されたら、次のステップＳ７０１２へ進んでカードデータのバックアップスタンバイ表示を行う。次のステップＳ７０１３へ進んでバックアップボタンが操作されたらＹ側に進んでメモリカードから保存ユニットへ画像信号を送信して保存ユニットにも画像信号を保存する。バックアップボタンが押されなかったらこのフローの処理を終了する。
【００６０】
ステップＳ７０１０で十字キーにより（２）が選択されたら、ステップＳ７０１５へ進んでステップＳ７０３１へ進んで保存スタンバイ表示を行う。ステップＳ７０３２へ進んでステップＳ７０３２で保存釦１５６ｂが操作されたかどうかを判定する。ステップＳ７０３３へ進んで保存ユニット２ａから外部情報機器例えばＰＣへ画像信号を送信して相手機器にも画像信号を保存する。
【００６１】
ステップＳ７０１１で（３）が選択されたら、ステップＳ７０１５へ進んでダウンロードスタンバイ表示を行う、ステップＳ７０１６へ進みダウンロード釦１５７ｂが押されたかどうかを判定し、ダウンロード釦１５７ｂが押されていたら次のステップＳ７０１７へ進んで相手機器から画像信号をダウンロード（受信）して保存ユニット２ａに保存する。
【００６２】
ステップＳ７００２で表示ユニットとして投影ユニット４ａが装着されたことを検出した場合には、ステップＳ７０１８へ進んでメモリカード３０が装着されているかどうかを判定して投影スタンバイ表示（外部表示スタンバイ）表示を行ってＯＫ釦１５１ｂが操作されたらメモリカード３０内の画像信号に基づく画像信号を投影装置（表示装置）に送信する。
【００６３】
以上説明したように、この記録再生装置１のマウント部１０ｂに装着される機能ユニット（１ａ  ｏｒ  ２ａ  ｏｒ  ３ａ  ｏｒ  ４ａ）の種別に応じてメインＣＰＵによってシリアルＩ／Ｆ、メモリカードインターフェース、ＵＳＢインターフェースの送受信が制御され、さらに送信側に制御されたインターフェースの信号形式に応じた信号形式に、データ変換部で画像信号の信号形式が変換されてから送信が行われるようになる。
【００６４】
このように３種類のインターフェースが有効に活用される記録再生装置が実現される。
【００６５】
なお、ここでは３種類としているがこれ以上のものがあっても良い。また、実施形態においては、３つのうち、２つのインターフェースを用いた場合の例を掲げて説明しているが、シリアルＩ／Ｆを受信側に制御して、メモリカードＩ／ＦとＵＳＢインターフェースとの双方を送信側に制御して、シリアルＩ／Ｆを介して受信した画像信号を記録媒体と外部情報機器との双方に送信するようにすることもできる。
【００６６】
また、本実施形態では外部情報機器との間で画像信号の送受信が行なえるインターフェースとしてＵＳＢインターフェースを例に挙げたが、ＩＥＥＥ１３９４、ＩＥＥＥ８０２．１１、ＵＷＢ、Ｂｌｕｅｔｏｏｔｈ、Ｅｔｈｅｒｎｅｔ（登録商標）などの画像信号の送受信が行なえるインターフェースであれば何でも良い。またＵＳＢインターフェースに加えてＩＥＥＥ１３９４、ＩＥＥＥ８０２．１１などのインターフェースが配備され、それらのうちのいずれかが選択されて用いられるものであっても良い。
【図面の簡単な説明】
【００６７】
【図１】本発明の一実施形態である記録再生装置の外観を示す斜視図である。
【図２】撮像ユニット１ａが記録再生装置であるカメラ本体１ｂに装着されメモリカードが装填された状態にあるときの通信方向を説明する図である。
【図３】データ保存装置２ａが記録再生装置１に装着されメモリカード３０が装填された状態にあるときの通信方向を説明する図である。
【図４】データ保存装置２ａが記録再生装置１に装着され外部情報機器がＵＳＢケーブルを介して接続された状態にあるときの通信方向を説明する図である。
【図５】データ表示装置３ａが記録再生装置１に装着され外部情報機器がＵＳＢケーブルを介して接続された状態にあるときの通信方向を説明する図である。
【図６】投影ユニット４ａが記録再生装置１に装着されメモリカード３０がメモリ装填室に装填された状態にあるときの通信方向を説明する図である。
【図７】メインＣＰＵ１０が行う処理の手順を示すフローチャートである。
【符号の説明】
【００６８】
１    記録再生装置
１０    メインＣＰＵ
１１    メモリバッファ
１２    接続検出手段
１３    シリアルＩ／Ｆ（第１のインターフェース）
１４    データ変換部
１５    画像表示部
１６    メモリカードＩ／Ｆ（第３のインターフェース）
１７    ＵＳＢＩ／Ｆ（第２のインターフェース）
１ａ    撮像ユニット
２ａ    データ保存ユニット
３ａ    表示ユニット
４ａ    投影ユニット
５ａ    ＰＣ
６ａ    ビューワ
【図１】
2006094300.tif 000003
【図２】
2006094300.tif 000004
【図３】
2006094300.tif 000005
【図４】
2006094300.tif 000006
【図５】
2006094300.tif 000007
【図６】
2006094300.tif 000008
【図７】
2006094300.tif 000009